(57)【要約】  表示装置は、期間を複数の区画で区分した各区画を周期的に繰り返し配置して表示画面の第１表示領域に表示する第１表示処理部と、区画内に医療情報の種別を識別する種別識別子を表示する識別子表示処理部とを備える。
2018181637.tif 000002
【特許請求の範囲】
【請求項１】
患者の医療情報を表示画面に表示する表示装置であって、
期間を複数の区画で区分した各区画を周期的に繰り返し配置して前記表示画面の第１表示領域に表示する第１表示処理部と、
前記区画内に医療情報の種別を識別する種別識別子を表示する識別子表示処理部と
を備える表示装置。
【請求項２】
前記識別子表示処理部は、
前記区画内に医療情報の情報量を識別する情報量識別子を表示する請求項１に記載の表示装置。
【請求項３】
前記種別識別子は、前記医療情報の情報量を識別する請求項２に記載の表示装置。
【請求項４】
前記識別子表示処理部は、
前記区画内に前記患者の状態を識別する患者状態識別子を表示する請求項１から請求項３のいずれか一項に記載の表示装置。
【請求項５】
前記複数の区画のうちの所要の区画の医療情報の内容を示す医療データを該所要の区画毎に前記表示画面の第２表示領域に表示する第２表示処理部を備える請求項４に記載の表示装置。
【請求項６】
前記第１表示処理部は、
前記種別識別子又は患者状態識別子を選択する第１識別子選択操作を受け付けた場合、選択された識別子の医療情報の内容を示す医療データを前記第２表示領域又は前記識別子の近傍に表示する請求項５に記載の表示装置。
【請求項７】
前記第２表示処理部は、
前記区画を選択する第１区画選択操作を受け付けた場合、選択された区画内の医療情報の内容を示す医療データを前記第２表示領域に表示する請求項４又は請求項５に記載の表示装置。
【請求項８】
前記第２表示処理部は、
予め定められた複数の異なる操作のうち一の操作を受け付けた場合、該一の操作に応じて範囲が異なる区画内の医療情報の内容を示す医療データを前記第２表示領域に表示する請求項５から請求項７のいずれか一項に記載の表示装置。
【請求項９】
前記第２表示処理部は、
前記区画を選択する第２区画選択操作、及び前記一の操作を受け付けた場合、前記区画を含む範囲が異なる区画内の医療情報の内容を示す医療データを前記第２表示領域に表示する請求項８に記載の表示装置。
【請求項１０】
前記第２表示処理部は、
前記区画を選択する第３区画選択操作を受け付けた場合、前記第２表示領域に表示される区画の範囲を選択する選択画面を表示する請求項５から請求項９のいずれか一項に記載の表示装置。
【請求項１１】
前記第１表示処理部は、
前記種別識別子又は前記患者状態識別子を選択する第２識別子選択操作を受け付けた場合、選択された識別子の医療情報の階層を示す階層情報を前記第１表示領域に表示する請求項４に記載の表示装置。
【請求項１２】
前記第１表示処理部は、
前記区画を１週間又は１年の周期で繰り返し配置して前記表示画面の第１表示領域に表示する請求項１から請求項１１のいずれか一項に記載の表示装置。
【請求項１３】
患者の医療情報を表示画面に表示する表示装置であって、
１又は複数のプロセッサと、
前記プロセッサで実行されるコンピュータプログラムを記憶するメモリと
を備え、
前記プロセッサは、前記コンピュータプログラムを実行することにより、
期間を複数の区画で区分した各区画を周期的に繰り返し配置して前記表示画面の第１表示領域に表示し、
前記区画内に医療情報の種別を識別する種別識別子を表示する表示装置。
【請求項１４】
請求項１から請求項１３のいずれか一項に記載の表示装置と、該表示装置に接続され、患者の医療情報を記憶する記憶部を有するサーバとを備える表示システム。
【請求項１５】
コンピュータに、患者の医療情報を表示画面に表示させるためのコンピュータプログラムであって、
コンピュータに、
期間を複数の区画で区分した各区画を周期的に繰り返し配置して前記表示画面の第１表示領域に表示する処理と、
前記区画内に医療情報の種別を識別する種別識別子を表示する処理と
を実行させるコンピュータプログラム。
【請求項１６】
コンピュータに、患者の医療情報を表示画面に表示させるためのコンピュータプログラムを記録したコンピュータでの読み取りが可能な非一時的な記録媒体であって、
前記コンピュータプログラムは、
コンピュータに、
期間を複数の区画で区分した各区画を周期的に繰り返し配置して前記表示画面の第１表示領域に表示する処理と、
前記区画内に医療情報の種別を識別する種別識別子を表示する処理と
を実行させる記録媒体。
【請求項１７】
患者の医療情報を表示画面に表示する表示方法であって、
期間を複数の区画で区分した各区画を周期的に繰り返し配置して前記表示画面の第１表示領域に表示し、
前記区画内に医療情報の種別を識別する種別識別子を表示する表示方法。
【発明の詳細な説明】
【技術分野】
【０００１】
本開示は、表示装置、表示システム、コンピュータプログラム、記録媒体及び表示方法に関する。
【背景技術】
【０００２】
近年、病院又は診療所などの医療機関では、医療情報の電子化及びシステム化が進みつつあり、医療機関の放射線科等の各部門での画像データ又は検査データ、検査結果を示すレポートなどの文書データ、電子カルテなどの膨大な医療情報がデータベース化された医療情報統合管理システムが実用化されている。【０００３】
このような医療情報統合管理システムは、膨大な医療情報を一元管理するサーバ、各部門で得られた医療情報をサーバへ送信する情報処理装置、医師又は看護師などの医療従事者が医療情報を閲覧し、あるいは所要の操作を行うための表示装置などを備える。【０００４】
患者の医療用データに基づく画像を表示装置の表示画面に表示する場合、当該患者の画像が多いと、すべての画像を表示画に表示することができない。そこで、操作者が医療情報の付随情報を選択することにより、選択された付随情報を有する簡易画像のみからなる一覧を表示する表示装置が開示されている（特許文献１参照）。
【先行技術文献】
【特許文献】
【０００５】
【特許文献１】特許第５７９５５５９号公報
【発明の概要】
【発明が解決しようとする課題】
【０００６】
しかし、特許文献１のような表示装置にあっては、操作者が選択した付随情報を有する医療情報は、それぞれの医療情報の取得日の順番で一列に表示されるため、取得日の間にどれくらいの期間が存在するのかが一瞥では分からない。このため、時間の経過を感覚的に一瞥で把握することが困難である。【０００７】
本開示は、斯かる事情に鑑みてなされたものであり、患者の医療情報の時間的な経過を感覚的に把握することができる表示装置、表示システム、コンピュータプログラム、記録媒体及び表示方法を明らかにする。
【課題を解決するための手段】
【０００８】
本願は上記課題を解決する手段を複数含むが、その一例を挙げるならば、表示装置は、患者の医療情報を表示画面に表示する表示装置であって、期間を複数の区画で区分した各区画を周期的に繰り返し配置して前記表示画面の第１表示領域に表示する第１表示処理部と、前記区画内に医療情報の種別を識別する種別識別子を表示する識別子表示処理部とを備える。
【発明の効果】
【０００９】
本開示によれば、患者の医療情報の時間的な経過を感覚的に把握することができる。本開示に関連する更なる特徴は、本明細書の記述、添付図面から明らかになるものである。また、上記した以外の、課題、構成および記述は、以下の実施形態の説明により明らかにされる。
【図面の簡単な説明】
【００１０】
【図１】本実施の形態の表示システムの構成の一例を示すブロック図である。
【図２】本実施の形態の表示処理部の構成の一例を示すブロック図である。
【図３】医療情報の一例を示す説明図である。
【図４】本実施の形態の表示処理部が表示画面に表示する第１表示領域及び第２表示領域の一例を示す模式図である。
【図５】本実施の形態の表示処理部が表示画面に表示する第１表示例を示す模式図である。
【図６】本実施の形態の表示処理部が表示画面に表示する種別識別子の第１例を示す模式図である。
【図７】本実施の形態の表示処理部が表示画面に表示する第２表示例を示す模式図である。
【図８】本実施の形態の表示処理部が表示画面に表示する第３表示例を示す模式図である。
【図９】本実施の形態の表示処理部による第２表示領域に医療データを表示させるための選択操作の第１例を示す模式図である。
【図１０】本実施の形態の表示処理部による医療データの第１表示例を示す模式図である。
【図１１】本実施の形態の表示処理部による第２表示領域に医療データを表示させるための選択操作の第２例を示す模式図である。
【図１２】本実施の形態の表示処理部による医療データの第２表示例を示す模式図である。
【図１３】本実施の形態の表示処理部による第２表示領域に医療データを表示させるための選択操作の第２例を示す説明図である。
【図１４】本実施の形態の表示処理部による第２表示領域に医療データを表示させるための選択操作の第３例を示す説明図である。
【図１５】本実施の形態の表示処理部による第２表示領域に医療データを表示させるための選択操作の第４例を示す説明図である。
【図１６】本実施の形態の表示処理部による医療データの第３表示例を示す模式図である。
【図１７】本実施の形態の表示処理部が表示画面に表示する種別識別子の第２例を示す模式図である。
【図１８】本実施の形態の表示処理部が表示画面に表示する種別識別子の第３例を示す模式図である。
【図１９】本実施の形態の表示処理部による医療情報の階層情報の表示方法の第１例を示す模式図である。
【図２０】本実施の形態の表示処理部による医療情報の階層情報の表示方法の第２例を示す模式図である。
【図２１】本実施の形態の表示処理部による医療情報の階層情報の表示方法の第３例を示す模式図である。
【図２２】本実施の形態の表示処理部の構成の他の例を示すブロック図である。
【図２３】本実施の形態の表示装置による表示処理の一例を示すフローチャートである。
【図２４】本実施の形態の表示装置による表示処理の一例を示すフローチャートである。
【発明を実施するための形態】
【００１１】
以下、本開示の実施の形態の表示装置、該表示装置を実現するためのコンピュータプログラム、記録媒体、表示システム及び表示方法について説明する。図１は本実施の形態の表示システム１００の構成の一例を示すブロック図である。本実施の形態の表示システム１００は、例えば、医療情報統合管理システムであり、病院又は診療所などの医療機関で行われる診察、診断、検査等の医療情報を、患者毎に最も古い時から現在に至るまでの間に亘って時系列に参照可能となるように統合管理する。
【００１２】
表示システム１００は、医療情報を統合管理するサーバ２０、所定の通信ネットワークを介してサーバ２０と接続される複数の情報処理装置１０及び表示装置５０などを備える。なお、図１では便宜上、表示装置５０を一つだけ図示しているが、複数の表示装置５０が、サーバ２０に接続されてもよい。
【００１３】
情報処理装置１０は、医療機関内の複数の治療部門、診療部門又は検査部門等に設置され、所定の電子データの入力処理、記録処理、編集処理及び出力処理などを行うことができる。情報処理装置１０は、周辺装置を含むコンピュータシステムで構成することができ、例えば、放射線システム、電子カルテシステム、内視鏡システム、生理検査システム、心電図システム、検体ラボシステム、薬剤投薬処方システムなどを構成することができる。情報処理装置１０は、画像データ、文書データ、検査データ等の医療情報をサーバ２０へ送信することができる。
【００１４】
サーバ２０は、サーバ２０全体を制御する制御部２１、記憶部２２、通信部２３などを備える。
【００１５】
通信部２３は、情報処理装置１０及び表示装置５０との間の通信機能を有し、所要の情報の送信及び受信を行うことができる。
【００１６】
記憶部２２は、各情報処理装置１０が送信する医療情報を記憶する。記憶部２２は、患者を特定する特定情報毎に医療情報を各患者に対応付けて記憶することができる。
【００１７】
制御部２１は、ＣＰＵ、メモリ（ＲＯＭ、ＲＡＭなど）、メモリに格納されたプログラムなどで構成することができ、記憶部２２に記憶した医療情報を、患者を特定する特定情報に基づいて抽出し、抽出した医療情報を、患者の医療期間を示す時間軸と、医療情報の内容を示す項目軸との２軸でマトリクス状に配置した一覧表示形式の表示データを生成する。
【００１８】
表示装置５０は、液晶パネルなどの表示画面５１、表示処理部５２、操作入力部５３、通信部５４、記憶部５５などを備える。表示装置５０は、医療機関の医師、技師又は看護師などの医療従事者が、医療情報の操作及び閲覧を行うためのものであり、診療、診断の際に使用される。表示装置５０は、周辺装置を含むコンピュータ装置で構成することができるが、画面に対してタッチ操作が可能なタブレット装置でもよい。
【００１９】
なお、表示装置５０は、サーバ２０の機能を内蔵してもよい。例えば、表示装置５０は、サーバ２０を経由せずに情報処理装置１０と直接ネットワークを介して、必要な情報を蓄積して表示することもできる。
【００２０】
また、表示装置５０は、情報処理装置１０の機能を内蔵してもよい。例えば、電子カルテシステムが機能拡張されることにより、表示装置５０に情報処理装置１０の機能を組み込むこともできる。
【００２１】
また、表示装置５０が備える表示画面５１は、一つに限定されず、複数の表示画面（複数の表示デバイス）を備えることもできる。
【００２２】
操作入力部５３は、キーボード、マウス、トラックパッド（タッチパッド）、スタイラスペンなどを含み、医療従事者が、表示画面５１上のアイコン（図形、文字、数字、記号など）又は表示画面５１の所要の箇所を操作（例えば、マウスの場合、左クリック、右クリック、ダブルクリックなど）すると、入力された操作を、当該操作に対応する指令に変換して表示処理部５２へ出力する。
【００２３】
通信部５４は、サーバ２０が送信した一覧表示形式の表示データを受信する。通信部５４で受信された表示データは、記憶部５５に記憶される。
【００２４】
図２は本実施の形態の表示処理部５２の構成の一例を示すブロック図である。表示処理部５２は、第１表示処理部５２１、第２表示処理部５２２、識別子表示処理部５２３などを備える。表示処理部５２は、ＣＰＵ、メモリ（ＲＯＭ、ＲＡＭなど）、メモリに格納されたプログラムなどで構成することができる。
【００２５】
表示処理部５２は、通信部５４を介してサーバ２０で統合管理されている医療情報を受信することにより、診察、診断に必要な医療情報を、医療従事者毎の用途に合わせて、患者毎に過去の医療情報から最新の医療情報までを時系列的に表示する処理を行う。
【００２６】
図３は医療情報の一例を示す説明図である。医療情報は、上位概念から下位概念へと階層的に構成することができる。例えば、医療情報の上位の種別としては、画像、検体、文書などに分けることができる。なお、図示していないが、上位種別には、検査、投薬などを含めることもできる。上位種別が画像の場合、上位種別の次の下位種別には、例えば、ＣＴ（Computed Tomography）、ＭＲ（Magnetic Resonance：ＭＲＩともいう）、ＵＳ（Ultrasonography）、ＣＲ（Computed Radiology）などを含めることができる。また、上位種別が検体の場合、上位種別の次の下位種別には、例えば、内視鏡、眼底、心電図などを含めることができる。また、上位種別が文書の場合、上位種別の次の下位種別には、例えば、紹介書類、診断書類、レポート、問診票、同意書、計画書類などを含めることができる。
【００２７】
また、上位種別がＣＴ（ＣＴ画像）の場合、上位種別の次の下位種別には、例えば、ＣＴ１、ＣＴ２、ＣＴ３、…などを含めることができる。ここで、ＣＴ１、ＣＴ２、ＣＴ３、…は、例えば、頭部ＣＴ、胸部ＣＴ、腹部ＣＴの如く部位の別を示すことができる。ＭＲ、ＵＳ、ＣＲ、内視鏡、眼底、心電図についても同様である。また、画像には動画像も含まれる。
【００２８】
なお、図３に示す医療情報（データ）は、一例であって、図３の例に限定されるものではない。また、図示していないが、検査には、生理データとして、例えば、脳波、超音波、動脈硬化、血圧、体温などのデータが含まれ、検体データとして、例えば、ＣＥＡ（腫瘍マーカー）、血液、病理、尿、ＡＬＴ（アラニンアミノトランスフェラーゼ）などのデータが含まれる。投薬には、投薬情報が含まれる。
【００２９】
次に、表示処理部５２の詳細について説明する。
【００３０】
図４は本実施の形態の表示処理部５２が表示画面５１に表示する第１表示領域６１及び第２表示領域６２の一例を示す模式図である。第１表示領域６１及び第２表示領域６２の大小関係は、適宜調整することができる。すなわち、第１表示領域６１と第２表示領域６２との境界を示す縦の破線は、左右方向に移動可能である。また、第２表示領域６２を表示させない場合には、表示画面５１全体に第１表示領域６１だけを表示してもよい。また、第１表示領域６１と第２表示領域６２とを別々の表示デバイスで表示させることもできる。なお、図４の例では、第１表示領域６１と第２表示領域６２とを左右で分割しているが、上下に分割してもよい。
【００３１】
第１表示処理部５２１は、期間を複数の区画で区分した各区画を周期的に繰り返し配置して表示画面５１の第１表示領域６１に表示する。
【００３２】
期間は、患者の医療情報の日時（時情報）のうち最も古い時から現在までの期間の全部又は一部とすることができる。区画は、１日、１か月を３つ（上旬、中旬及び下旬）に分けた旬、１年を４つに分けた四半期、あるいは、１年を４つ（春、夏、秋、冬）で分けた春、夏、秋、冬の一つなどとすることができる。周期的に繰り返しとは、例えば、区画を１日とすると、日曜日から土曜日まで（又は月曜日から日曜日まで）の１週間とすることができる。また、区画を旬、四半期などとすると、周期的に繰り返しとは、１年とすることができる。
【００３３】
識別子表示処理部５２３は、区画内に医療情報の種別を識別する種別識別子を表示する。また、識別子表示処理部５２３は、区画内に医療情報の情報量を識別する情報量識別子を表示する。識別する医療情報の情報量として、区画内に特定される医療データの数を識別するようにしてよい。また、識別子表示処理部５２３は、区画内に患者の状態を識別する患者状態識別子を表示する。
【００３４】
医療情報の種別は、例えば、画像、検査、文書などを含む。医療情報（医療情報の種別）は、上位概念から下位概念へと階層的に構成することができ、例えば、種別には、画像に含まれる各種検査装置によって得られた検査画像、検査に含まれる検体又は検査部位、あるいは文書に含まれる個々の書類などの下位の階層の情報を含めることができる。
【００３５】
患者の状態は、例えば、患者が入院しているか否か、手術が実施されたか否か、容態の重篤な急変の有無、患者の生活環境の変化の有無など、患者に関するイベントの有無を含む。
【００３６】
図５は本実施の形態の表示処理部５２が表示画面５１に表示する第１表示例を示す模式図であり、図６は本実施の形態の表示処理部５２が表示画面５１に表示する種別識別子の第１例を示す模式図である。図５に示す表示例は第１表示領域６１に表示されるものである。図５に示すように、区画は１日単位（曜日単位）であり、１週間の周期で区画が繰り返し配置され、１か月余りの期間が表示されている。
【００３７】
区画に配置される種別識別子は、頂点が下を向く下向三角形で示すＣＴ識別子７１、頂点が右を向く右向三角形で示すＭＲ識別子７２、頂点が上を向く上向三角形で示す文書識別子７３、頂点が左を向く左向三角形で示す検体識別子７４の４つとする。また、区画の中央に配置した矩形の識別子８１は患者状態識別子である。識別子８１は、例えば、患者が入院しているか否か、手術が実施されたか否か、容態の重篤な急変の有無、患者の生活環境の変化の有無など、患者に関するイベントの有無を識別することができる。識別子８１は、識別する内容に応じて、表示態様を変えて表示することができる。また、識別子８１を選択する（例えば、マウスオーバ）ことにより、内容の詳細を表示させることもできる。図５の例では、例えば、患者が入院中であることを示す。なお、図では、各識別子には異なる模様を付して区別しやすく表しているが、種別識別子は、図示したものに限定されるものではない。
【００３８】
図６に示すように、識別子の大きさに応じて、医療情報の多少を表すことができる。すなわち、種別識別子の大きさで、医療情報の情報量を識別する情報量識別子を表示する。例えば、ＣＴ識別子７１の場合、ＣＴに関する医療情報（例えば、ＣＴ画像）の情報量が多くなるにつれて、ＣＴ識別子７１ａ、７１ｂ、７１ｃ、７１ｄの順番で、いずれか一つを用いることができる。例えば、ＣＴ識別子７１ａ、７１ｂ、７１ｃ、７１ｄの順番で、ＣＴ画像の数が、１枚、２枚、３枚、４枚であることを表してもよく、あるいは、ＣＴ識別子７１ａ、７１ｂ、７１ｃ、７１ｄの順番で、ＣＴ画像の数が、５枚、１０枚、１５枚、２０枚の如く表してもよい。識別子の形状に応じて割り当てる情報量の多少は適宜設定することができる。他のＭＲ、文書及び検体の種別識別子についても、同様に三角形の形状が大きくなるにつれて、医療情報の情報量が多いことを表すことができる。なお、医療情報の多少を種別識別子の数に対応させて表示してもよい。また、種別識別子とは別に、医療情報の多少に対応する記号又は数値等の情報量識別子を種別識別子に重複もしくは近傍等に表示することによって種別識別子に関連付けて表示してもよい。このようにすることによって、医療情報の細かな差も把握することができる。
【００３９】
上述のように、区画を周期的に繰り返し配置して期間を表示画面５１に表示し、区画内に医療情報の種別を識別する種別識別子を表示するので、患者の医療情報の時間的な経過を感覚的に把握することができる。また、期間のうちのどの時点又は時期に医療情報があるのか否かが明瞭になり、医療情報の存在を感覚的に把握することができる。
【００４０】
また、区画内に医療情報の情報量を識別する情報量識別子（種別識別子の大きさ）を表示するので、時間的な経過とともに、どれだけの医療情報が存在するかを感覚的に把握することができる。また、患者の状態の時間的な変化を感覚的に把握することができる。
【００４１】
図７は本実施の形態の表示処理部５２が表示画面５１に表示する第２表示例を示す模式図である。図７の例では、区画は旬（上旬、中旬、下旬）であり、１か月の周期で区画が繰り返し配置され、３か月（四半期）の期間が表示されている。種別識別子は、図５の例と同様である。識別子８１は患者状態識別子であり、例えば、その長さに応じて、患者の入院期間等の状態の長さを示すことができる。また、識別子８１が配置される形状の時系列方向の両端点の位置によって、当該状態の始点と終点とを表すこともできる。
【００４２】
図８は本実施の形態の表示処理部５２が表示画面５１に表示する第３表示例を示す模式図である。図８の例では、区画は四半期（１Ｑ：第１四半期、２Ｑ：第２四半期、３Ｑ：第３四半期、４Ｑ：第４四半期）であり、１年の周期で区画が繰り返し配置され、３年の期間が表示されている。種別識別子は、図５の例と同様である。識別子８１は、図７の例と同様、患者の入院期間を示す。
【００４３】
図７、図８で示すように、患者の期間が比較的長期の場合でも、患者の医療情報の時間的な経過を感覚的に把握することができる。また、期間のうちのどの時点又は時期に医療情報があるのか否かが明瞭になり、医療情報の存在を感覚的に把握することができる。また、比較的大きな期間の幅での患者の医療情報の傾向を感覚的に把握することができる。
【００４４】
また、上述のように、区画を１週間又は１年の周期で繰り返し配置して表示画面５１の第１表示領域６１に期間を表示することができる。例えば、区画を曜日（１日）として、１週間の周期で繰り返して配置すると、日曜日から土曜日まで（又は月曜日から日曜日まで）の１週間が、カレンダーのように繰り返し配置されるので、カレンダーの曜日と種別識別子とが同時に表示されることになり、曜日と種別識別子とを同時に把握することができるので、時間的な経過を感覚的に把握することが容易になる。
【００４５】
次に、第２表示領域６２に表示する医療情報の内容、及び医療情報の内容を第２表示領域６２に表示させるための操作について説明する。
【００４６】
第２表示処理部５２２は、複数の区画のうちの所要の区画の医療情報の内容を示す医療データを当該所要の区画毎に表示画面５１の第２表示領域６２に表示する。
【００４７】
より具体的には、第２表示処理部５２２は、第１表示領域６１に表示された区画を選択する第１区画選択操作を受け付けた場合、選択された区画内の医療情報の内容を示す医療データを第２表示領域６２に表示する。なお、第１区画選択操作による区画の選択は、一つの区画でもよく、あるいは複数の区画でもよい。
【００４８】
図９は本実施の形態の表示処理部５２による第２表示領域６２に医療データを表示させるための選択操作の第１例を示す模式図である。図９は、第１表示領域６１において、曜日（１日）単位の区画を１週間の周期で３か月余りの期間を表示した例である。図９に示すように、医療従事者（操作者）が、マウスのカーソル（ポインタ）Ｍを、２月１３日の区画に移動させたとする（マウスオーバ操作とも称する）。すなわち、２月１３日の区画が選択されたとする（第１区画選択操作による選択）。
【００４９】
２月１３日の区画内には、ＣＴ識別子７１、ＭＲ識別子７２、文書識別子７３、検体識別子７４の４つの種別識別子が配置され、それぞれの種別識別子の大きさは、医療データが４枚存在することを示すとする。
【００５０】
図１０は本実施の形態の表示処理部５２による医療データの第１表示例を示す模式図である。図１０は、図９に示す、２月１３日の区画が選択された結果を示す（符号Ｓ）。図１０に示すように、第２表示領域６２には、ＣＴについて４枚のＣＴ画像データ７１１（４つの医療データ）、ＭＲについて４枚のＭＲ画像データ７２１（４つの医療データ）、検体について４枚の検体データ７４１（４つの医療データ）、文書について４枚の書類データ７３１（４つの医療データ）が表示される。
【００５１】
なお、画像データ等の医療データは、医療情報の内容を代表して表す情報であり、例えば、一つの検査で取得された複数の画像から選択された画像のサムネイル（縮小画像）である。医療データに対して所定の操作（例えば、クリックなど）を行うことによって、当該医療情報の内容を表示させることができる。例えば、医療情報が１枚の医療画像であれば縮小される前の元の医療画像を表示させることができる。また、医療データは、サムネイルに限定されない。医療データは、検査の内容を代表して表示し得るものであれば、キーワード又は記号等であってもよい。
【００５２】
なお、１つの検査で取得される１枚もしくは複数枚の画像は、一つの医療情報として管理される。一つの医療情報に複数の画像が含まれる場合には、当該複数の画像の中から代表画像が選択され、選択された代表画像のサムネイル（画像）が医療データとして作成される。なお、一つの区画内に複数の医療情報が含まれる場合には、それぞれの医療情報に対応させて、医療データ（代表画像）の数を複数とすることができる。前述の２月１３日の区画における４枚のＣＴ画像データ７１１は、いずれも代表画像ということができる。
【００５３】
また、期間を区切る単位（例えば、日、旬など）において特定される医療データが複数ある場合には、医療データを全て表示する。あるいは、複数の医療情報毎の複数の医療データの中から当該期間を区切る単位を代表する一つの医療データを選択して表示してもよい。複数の医療データから一つの医療データを選択する場合には、全体で何枚の医療データが存在するかを選択された医療データの近傍に表示してもよい。
【００５４】
上述のように、医療従事者が、第１表示領域６１に表示された任意の区画（図９及び図１０の例では、２月１３日の区画）を選択する操作を行った場合、選択された区画内に複数の種別の医療情報が存在する場合、当該複数の種別それぞれの医療データが同時に表示されるので、区画毎の医療情報の内容を容易に把握することができる。
【００５５】
図１１は本実施の形態の表示処理部５２による第２表示領域６２に医療データを表示させるための選択操作の第２例を示す模式図である。図１１は、図９の場合と同様に第１表示領域６１において、曜日（１日）単位の区画を１週間の周期で３か月余りの期間を表示した例である。第２表示処理部５２２は、区画を選択する第２区画選択操作、及び一の操作を受け付けた場合、当該区画を含む範囲が異なる区画内の医療情報の内容を示す医療データを第２表示領域６２に表示する。
【００５６】
例えば、図１１に示すように、医療従事者（操作者）が、マウスのカーソル（ポインタ）Ｍを、２月１４日の区画に移動させて当該区画を選択し（第２区画選択操作）、さらに左１クリック操作（一の操作）を行ったとする。なお、区画の選択操作（第２区画選択操作）と、一の操作との順番は、上述の順番に限定されない。
【００５７】
なお、予め定められた複数の異なる操作のうちの一の操作（所定操作）では、表示周期を最小単位とした選択幅を持つ方が好ましい。例えば、図７に示すような１か月周期の場合、一の操作（例えば、左１クリック操作）は、対象の１か月という選択幅が表示周期の最小単位として設定されることが好ましい。これにより、第２表示領域６２に表示される医療データの繰り返し周期が、第１表示領域６１の区画の周期と対応するので、両者の対応関係が明瞭になり、医療情報の確認がし易くなる。
【００５８】
図１２は本実施の形態の表示処理部５２による医療データの第２表示例を示す模式図である。図１２は、図１０に示す、２月１３日の区画が選択され、左１クリック操作が行われた結果を示す。左１クリック操作によって、第１表示領域６１の２月１２日の日曜日から２月１８日の土曜日までの区画が選択される（符号Ｓ）。図１２に示すように、第２表示領域６２には、２月１４日の区画を含む、２月１４日の週（すなわち、２月１２日の日曜日から２月１８日の土曜日まで）に亘って存在するＣＴ、ＭＲ、検体及び文書についての医療データが表示される。
【００５９】
より具体的には、第１表示領域６１の２月１２日の区画には、種別識別子が配置されていないので、第２表示領域６２の２月１２日の区画には医療情報の内容を示す医療データは表示されない。
【００６０】
第１表示領域６１の２月１３日の区画には、ＣＴ識別子７１、ＭＲ識別子７２、文書識別子７３、検体識別子７４の４つの種別識別子（情報量は４枚に相当）が配置されているので、図１０の例と同様、第２表示領域６２の２月１３日の区画には、ＣＴについて４枚のＣＴ画像データ７１１、ＭＲについて４枚のＭＲ画像データ７２１、検体について４枚の検体データ７４１、文書について４枚の書類データ７３１が表示される。
【００６１】
第１表示領域６１の２月１４日の区画には、文書識別子７３、検体識別子７４の２つの種別識別子（情報量は１枚に相当）が配置されているので、第２表示領域６２の２月１４日の区画には、検体について１枚の検体データ７４１、文書について１枚の書類データ７３１が表示される。
【００６２】
第１表示領域６１の２月１５日の区画には、検体識別子７４の１つの種別識別子（情報量は１枚に相当）が配置されているので、第２表示領域６２の２月１５日の区画には、検体について１枚の検体データ７４１が表示される。
【００６３】
第１表示領域６１の２月１６日の区画には、ＣＴ識別子７１、ＭＲ識別子７２、検体識別子７４の３つの種別識別子（情報量は１枚に相当）が配置されているので、第２表示領域６２の２月１６日の区画には、ＣＴについて１枚のＣＴ画像データ７１１、ＭＲについて１枚のＭＲ画像データ７２１、検体について１枚の検体データ７４１が表示される。
【００６４】
第１表示領域６１の２月１７日の区画は、２月１５日の区画と同様であるので、第２表示領域６２の２月１７日の区画の表示は、２月１５日の区画と同様である。また、第１表示領域６１の２月１８日の区画は、２月１２日の区画と同様であるので、第２表示領域６２の２月１８日の区画の表示は、２月１２日の区画と同様である。
【００６５】
上述のように、医療従事者が、第１表示領域６１に表示された区画の中で、注目する区画を選択して、一の操作（例えば、左１クリック操作）を行うことで、注目する区画を含み当該区画の前後の所要の範囲（例えば、１週間）に亘る区画の医療情報の内容を容易に把握することができる。
【００６６】
第１表示領域６１に表示された区画の選択操作は上述の例に限定されるものではない。以下、選択操作の例について説明する。
【００６７】
図１３は本実施の形態の表示処理部５２による第２表示領域６２に医療データを表示させるための選択操作の第２例を示す説明図である。図１３において、左欄は第１表示領域６１に表示された区画を選択して行う操作の例を示し、右欄は第２表示領域６２に医療データとともに表示される区画の範囲を示す。
【００６８】
例えば、注目する区画を選択して、左１クリック操作（クリック１回）を行うと、当該注目する区画を含む対象の１週間（注目した区画の週）に亘る区画に存在する医療データが表示される。
【００６９】
また、注目する区画を選択して、左２クリック操作（ダブルクリック）を行うと、当該注目する区画を含む対象の１か月間（注目した区画の月）に亘る区画に存在する医療データが表示される。
【００７０】
また、注目する区画を選択して、左３クリック操作（トリプルクリック）を行うと、当該注目する区画を含む対象の３か月間（注目した区画の月を含む前後１か月）に亘る区画に存在する医療データが表示される。
【００７１】
また、注目する区画を選択して、右１クリック操作（クリック１回）を行うと、当該注目する区画の前後で医療情報が連続して記録された期間（連続する区画）に存在する医療データが表示される。
【００７２】
また、注目する区画を選択して、右２クリック操作（ダブルクリック）を行うと、当該注目する区画の前後で医療情報が１週間以内不連続の期間を含んで連続して記録された期間（１週間単位の空きを含む連続する区画）に存在する医療データが表示される。
【００７３】
また、注目する区画を選択して、右３クリック操作（トリプルクリック）を行うと、当該注目する区画の前後で医療情報が１か月以内不連続の期間を含んで連続して記録された期間（１か月単位の空きを含む連続する区画）に存在する医療データが表示される。
【００７４】
上述のように、第２表示処理部５２２は、予め定められた複数の異なる操作のうち一の操作を受け付けた場合、当該一の操作に応じて範囲が異なる区画内の医療情報の内容を示す医療データを第２表示領域６２に表示する。これにより、所要の範囲に亘る区画の医療情報の内容を容易に把握することができる。
【００７５】
より具体的には、第２表示処理部５２２は、任意の区画が選択され、一の操作を受け付けた場合、選択された区画を含む範囲が異なる区画内の医療情報の内容を示す医療データを第２表示領域６２に表示する。例えば、注目する区画を選択して、一の操作を行うことで、注目する区画を含み当該区画の前後の所要の範囲に亘る区画の医療情報の内容を容易に把握することができる。
【００７６】
なお、図１３に示す例は、一例であって、これに限定されるものではない。例えば、注目する区画（日、曜日）を選択して左クリック（左１クリック操作）を行うことにより、選択された区画から１週間分の区画に存在する医療データを表示してもよく、注目する区画（日、曜日）を選択して左ダブルクリック（左２クリック操作）を行うことにより、選択された区画を含む日曜日から土曜日までの区画に存在する医療データを表示してもよい。また、ある区画を選択して左クリックして開始日とし、そのまま表示終了日までドラッグして選択した場合に、開始日から終了日までの区画に存在する医療データを表示してもよい。
【００７７】
前述の例は、第１表示領域６１に表示された区画を選択する操作を行うものであったが、これに限定されるものではない。例えば、第１表示領域６１に表示された区画内の種別識別子を選択する操作を行うこともできる。
【００７８】
図１４は本実施の形態の表示処理部５２による第２表示領域６２に医療データを表示させるための選択操作の第３例を示す説明図である。図１４において、左欄は第１表示領域６１に表示された区画内の種別識別子を選択して行う操作の例を示し、右欄は選択された種別識別子の医療データとともに第２表示領域６２に表示される区画の範囲を示す。
【００７９】
例えば、ある区画内の注目する種別識別子を選択して、左１クリック操作（クリック１回）を行うと、当該区画を含む対象の１週間に亘って、選択した種別識別の医療情報（医療データ）が表示される。例えば、種別識別子として「検体」を選択すると、１週間に亘る区画の検体データが表示される。なお、１週間の区画のうち、検体データが存在しない（記録されていない）区画がある場合には、当該区画については何も表示されない。
【００８０】
また、ある区画内の注目する種別識別子を選択して、左２クリック操作（ダブルクリック）を行うと、当該区画を含む対象の１か月間に亘って、選択した種別識別の医療情報（医療データ）が表示される。
【００８１】
また、ある区画内の注目する種別識別子を選択して、左３クリック操作（トリプルクリック）を行うと、当該区画を含む対象の３か月間に亘って、選択した種別識別の医療情報（医療データ）が表示される。
【００８２】
また、ある区画内の注目する種別識別子を選択して、右１クリック操作（クリック１回）を行うと、当該区画の前後で医療情報（選択した種別識別子の医療情報でもよく、選択しない種別識別子の医療情報を含めてもよい）が連続して記録された期間（連続する区画）に亘って、選択した種別識別の医療情報（医療データ）が表示される。
【００８３】
また、ある区画内の注目する種別識別子を選択して、右２クリック操作（クリック２回）を行うと、当該区画の前後で医療情報が１週間以内不連続の期間を含んで連続して記録された期間（１週間単位の空きを含む連続する区画）に亘って、選択した種別識別の医療情報（医療データ）が表示される。
【００８４】
また、ある区画内の注目する種別識別子を選択して、右３クリック操作（クリック３回）を行うと、当該区画の前後で医療情報が１か月以内不連続の期間を含んで連続して記録された期間（１か月単位の空きを含む連続する区画）に亘って、選択した種別識別の医療情報（医療データ）が表示される。
【００８５】
上述のように、第２表示処理部５２２は、種別識別子を選択する操作を受け付けた場合、選択された種別識別子の医療情報の内容を示す医療データを第２表示領域６２に表示する。例えば、医療従事者が、任意の区画内の種別識別子を選択する操作を行った場合、選択された種別識別子の医療データが表示されるので、所要の医療情報の内容を把握することができる。
【００８６】
前述の例は、所定の操作に応じて、第２表示領域６２に表示する区画の範囲を変更するものであったが、これに限定されるものではない。例えば、第２表示領域６２に表示する区画の範囲を選択する選択画面を表示することもできる。
【００８７】
図１５は本実施の形態の表示処理部５２による第２表示領域６２に医療データを表示させるための選択操作の第４例を示す説明図である。図１５は図１１と同様のものであり、第１表示領域６１において、曜日（１日）単位の区画を１週間の周期で３か月余りの期間を表示した例である。図１５に示すように、例えば、医療従事者（操作者）が、マウスのカーソル（ポインタ）を、２月１８日の区画に移動させて当該区画を選択し、右クリック操作を行ったとする（第３区画選択操作）。この場合、所定の箇所に選択画面６３が表示される。選択画面６３には、例えば、１週間、２週間、１か月、３か月などのアイコンが表示されている。医療従事者が、例えば、１週間のアイコンを選択すると、第２表示領域６２には、２月１８日の区画を含む１週間に亘る区画に記録された医療データが表示される。なお、２月１８日以降の１週間に亘る区画に記録された医療データを表示してもよい。
【００８８】
なお、選択画面６３の例は一例であって、図１５の例に限定されるものではない。例えば、選択した区画（日、曜日）を含む医療情報が連続して記録されている区画とすることができる。また、入院期間中を選択することができるアイコンを表示してもよい。
【００８９】
また、選択画面６３の表示位置は、区画を選択したマウスのカーソルの近傍位置（例えば、一つの区画の幅又は高さ以下の距離）とすることができる。すなわち、第１表示処理部５２１は、選択する区画の位置に応じて、選択画面６３を表示する位置を変更する。これにより、医療従事者が選択画面６３内のアイコンを選択するときに、カーソルの移動距離を短くすることができるので迅速な操作を行うことができ、作業性が向上する。
【００９０】
上述のように、第２表示処理部５２２は、区画を選択する第３区画選択操作を受け付けた場合、第２表示領域６２に表示される区画の範囲を選択する選択画面６３を表示する。選択画面６３が表示されるので、区画の範囲を容易に選択することができる。
【００９１】
図１６は本実施の形態の表示処理部５２による医療データの第３表示例を示す模式図である。図１６は、区画は旬（上旬、中旬、下旬）であり、１か月の周期で区画が繰り返し配置され、２０１６年の第３四半期（３Ｑ）から２０１７年の第２四半期（２Ｑ）までの１年間の期間が表示されている。種別識別子は、図５の例と同様である。
【００９２】
図１６の例では、２０１７年の２月の上旬、中旬及び下旬が選択されている（符号Ｓ）。そして、第２表示領域６２には、２月の上旬、中旬及び下旬に亘る医療情報（医療データ）が表示されている。
【００９３】
具体的には、第１表示領域６１の２月上旬の区画には、ＭＲ識別子７２（情報量は１枚に相当）が配置されている。そして、第２表示領域６２の２月上旬の区画には、ＭＲについて１枚のＭＲ画像データ７２１が表示される。
【００９４】
また、第１表示領域６１の２月中旬の区画には、ＣＴ識別子７１（情報量は４枚に相当）、ＭＲ識別子７２（情報量は４枚に相当）、文書識別子７３（情報量は３枚に相当）、検体識別子７４（情報量は４枚に相当）の４つの種別識別子が配置されている。そして、第２表示領域６２の２月中旬の区画には、ＣＴについて４枚のＣＴ画像データ７１１、ＭＲについて４枚のＭＲ画像データ７２１、検体について４枚の検体データ７４１、文書について３枚の書類データ７３１が表示される。
【００９５】
また、第１表示領域６１の２月下旬の区画には、ＣＴ識別子７１（情報量は１枚に相当）、ＭＲ識別子７２（情報量は１枚に相当）、文書識別子７３（情報量は４枚に相当）、検体識別子７４（情報量は１枚に相当）の４つの種別識別子が配置されている。そして、第２表示領域６２の２月下旬の区画には、ＣＴについて１枚のＣＴ画像データ７１１、ＭＲについて１枚のＭＲ画像データ７２１、検体について１枚の検体データ７４１、文書について４枚の書類データ７３１が表示される。
【００９６】
図１７は本実施の形態の表示処理部５２が表示画面５１に表示する種別識別子の第２例を示す模式図である。上述の例では、頂点が重なる４つの三角形で構成される種別識別子を用いて説明したが、種別識別子の形態は上述の例に限定されない。図１７の例では、種別識別子は、頂点が重なる５つの三角形で構成され、ＣＴ識別子７１、ＭＲ識別子７２、文書識別子７３、検体識別子７４及び検査画像識別子７５の５つの識別子を有する。また、情報量を識別する情報量識別子は、図６の例と同様、種別識別子の大きさで識別することができる。図１７に示すように、種別識別子は、適宜区画内に配置されて表示される。
【００９７】
また、図１７に示すように、第１表示領域６１には、区画が１日単位（曜日単位）であり、１週間の周期で区画が繰り返し配置され、１か月余りの期間が表示されている。医療従事者が、マウスのカーソルを、２月１３日の区画（月曜日）内のＣＴ識別子にマウスオーバ操作した場合、ＣＴ識別子７１の医療データ（例えば、各部位のＣＴ画像）を表示（プレビュー表示）するようにしてもよい。なお、操作はマウスオーバ操作に限定されない。医療データが複数ある場合には、所定の時間間隔で順番に表示するようにすればよい。また、医療データが動画像である場合には、動画像を再生するようにすればよい。
【００９８】
すなわち、第１表示処理部５２１は、種別識別子を選択する第１識別子選択操作を受け付けた場合、選択された種別識別子の医療情報の内容を示す医療データを、選択された種別識別子の近傍又は第２表示領域６２に表示する。近傍は、例えば、一つの区画の幅又は高さ程度の距離とすることができる。医療従事者が、任意の区画内の種別識別子を選択する操作を行った場合、選択された種別識別子の医療データが表示されるので、所要の医療情報の内容を素早く把握することができる。なお、医療データを種別識別子の近傍に表示するか、あるいは第２表示領域６２に表示するかに応じて、第１識別子選択操作は異なるようにすることができる。
【００９９】
また、第１表示処理部５２１は、患者の状態を識別する患者状態識別子（図１７の識別子８１）を選択する第１識別子選択操作を受け付けた場合、選択された識別子の医療情報の内容を示す医療データを選択された種別識別子の近傍又は第２表示領域６２に表示する。この場合、医療データは、例えば、入院、手術の実施、容態の重篤な急変、生活環境の変化などの患者に関するイベントを認識可能にする情報とすることができる。医療従事者が、任意の区画内の患者状態識別子を選択する操作を行った場合、選択された患者状態識別子の情報が表示されるので、患者の状態を素早く把握することができる。なお、医療データを種別識別子の近傍に表示するか、あるいは第２表示領域６２に表示するかに応じて、第１識別子選択操作は異なるようにすることができる。また、患者状態識別子を選択する操作と、種別識別子を選択する操作とは同じ操作でも異なる操作でもよい。
【０１００】
図１８は本実施の形態の表示処理部５２が表示画面５１に表示する種別識別子の第３例を示す模式図である。図１８に示すように、種別識別子は、棒グラフの如く表示することができ、ＣＴ識別子７１、ＭＲ識別子７２、文書識別子７３及び検体識別子７４の４つの識別子を有する。また、情報量を識別する情報量識別子は、各識別子の高さで識別することができる。なお、図１８の例では、縦棒グラフ状で各識別子を表示しているが、これに限定されるものではなく、横棒グラフ状であってもよい。また、図示していないが、種別識別子を、４つの隣接する円形で表すこともでき、各円形によってＣＴ識別子７１、ＭＲ識別子７２、文書識別子７３及び検体識別子７４の４つの識別子を表すことができる。この場合、円形の大きさ（直径）によって情報量の多少を表すことができる。また、色の明暗、数字表記によって情報量の多少を表すこともできる。
【０１０１】
次に、医療情報の階層情報を表示する例について説明する。
【０１０２】
図１９は本実施の形態の表示処理部５２による医療情報の階層情報の表示方法の第１例を示す模式図である。種別識別子は、ＣＴ識別子７１、ＭＲ識別子７２、文書識別子７３及び検体識別子７４の４つの識別子で構成されているとする。左図に示すように、第１表示領域６１の任意の区画内に表示された種別識別子の、例えば、ＣＴ識別子７１を選択したとする。選択操作は、マウスのカーソルＭを識別子に移動させるマウスオーバ操作でもよく、他の操作でもよい。
【０１０３】
ＣＴ識別子７１が選択されると、右図に示すように、ＣＴ（ＣＴ画像）の下位種別である、ＣＴ１、ＣＴ２、ＣＴ３、ＣＴ４、ＣＴ５が表示される。ここで、ＣＴ１、ＣＴ２、ＣＴ３、ＣＴ４、ＣＴ５は、例えば、頭部ＣＴ、胸部ＣＴ、腹部ＣＴの如く、ＣＴ画像であって、部位毎の医療データを表す識別子である。このように、ＣＴ画像に対する階層情報である各部位のＣＴ画像の存否、多少を表示することができる。なお、各部位のＣＴ画像の枚数に応じてＣＴ識別子７１や、ＣＴ１、ＣＴ２、ＣＴ３、ＣＴ４、ＣＴ５の大きさを変えることができる。
【０１０４】
図２０は本実施の形態の表示処理部５２による医療情報の階層情報の表示方法の第２例を示す模式図である。種別識別子は、画像識別子７０、文書識別子７３、検体識別子７４及び病理識別子７６の４つの識別子で構成されているとする。左図に示すように、第１表示領域６１の任意の区画内に表示された種別識別子の、例えば、画像識別子７０を選択したとする（第２識別子選択操作）。第２識別子選択操作は、マウスのカーソルＭを識別子に移動させるマウスオーバ操作でもよく、他の操作でもよい。
【０１０５】
画像識別子７０が選択されると、右図に示すように、画像の下位種別である、ＭＲ、ＵＳ、ＣＲ、ＣＴを表す識別子が表示される。ここで、ＭＲ、ＵＳ、ＣＲ、ＣＴは、画像に対して下位の種別である。このように、画像の識別子に対する階層情報であるＭＲ、ＵＳ、ＣＲ、ＣＴを表す識別子を表示することができる。なお、ＭＲ、ＵＳ、ＣＲ、ＣＴで示す図形（領域）の大きさは、ＭＲ、ＵＳ、ＣＲ、ＣＴそれぞれに含まれる、さらに下位の医療データの多少を示す。
【０１０６】
図２１は本実施の形態の表示処理部５２による医療情報の階層情報の表示方法の第３例を示す模式図である。種別識別子は、画像識別子７０、文書識別子７３、検体識別子７４及び病理識別子７６の４つの識別子で構成されている。また、画像識別子７０に対して、その下位の種別であるＣＴ、ＵＳ、ＭＲの識別子が表示されているとする。ＣＴ、ＵＳ、ＭＲは、それぞれＣＴ識別子、ＵＳ識別子、ＭＲ識別子ということができる。左図に示すように、ＭＲ識別子を選択したとする。選択操作は、マウスのカーソルＭを識別子に移動させるマウスオーバ操作でもよく、他の操作でもよい。
【０１０７】
ＭＲ識別子が選択されると、右図に示すように、ＭＲ（ＭＲ画像）の下位種別である、ＭＲ１、ＭＲ２、ＭＲ３、ＭＲ４の識別子が表示される。ここで、ＭＲ１、ＭＲ２、ＭＲ３、ＭＲ４は、例えば、部位毎の医療データを表す識別子である。このように、ＭＲ画像の識別子に対する階層情報である各部位のＭＲ画像の識別子を表示することができる。なお、ＭＲ画像の枚数が多い場合には、所定の時間間隔で順番に画像を表示させるようにしてもよい。
【０１０８】
また、例えば、患者の入院を示す患者状態識別子を第２識別子選択操作によって選択した場合、入院中のイベントである、「手術実施」、「容態の重篤な急変」、「患者の生活環境の変化」等の下位構造識別子を当該患者状態識別子の近傍に表示することができる。
【０１０９】
上述のように、第１表示処理部５２１は、種別識別子又は患者状態識別子を選択する第２識別子選択操作を受け付けた場合、選択された種別識別子又は患者状態識別子の医療情報の階層を示す階層情報を第１表示領域６１に表示する。医療情報は、上位概念から下位概念へと階層的に構成することができる。例えば、上位の種別を画像とすると、画像には、ＣＴ画像、ＭＲ画像、ＣＲ画像、ＵＳ画像などが下位概念として含まれる。また、さらに、ＣＴ画像には、頭部、胸部、腹部などの如く部位別のデータが下位概念として含まれる。
【０１１０】
従って、例えば、種別識別子が画像である場合、種別識別子を選択する操作を行うことによって、画像に対する階層情報として、当該患者のＣＴ画像、ＭＲ画像、ＣＲ画像、ＵＳ画像などの識別子を表示させることができる。また、種別識別子がＣＴ画像である場合、種別識別子を選択する操作を行うことによって、ＣＴ画像に対する階層情報として、頭部、胸部、腹部など部位毎の医療データを表す識別子を表示させることができる。これにより、医療情報の階層構造を容易に把握することができる。
【０１１１】
なお、識別子の下位構造は、第２識別子選択操作によって表示する構成に限定されるものではなく、最初から表示できるようにしてもよい。
【０１１２】
図２２は本実施の形態の表示処理部５２の構成の他の例を示すブロック図である。図２２に示すように、表示処理部５２は、ＣＰＵ５２６、ＲＯＭ５２７、ＲＡＭ５２８、記録媒体読取部５２９などで構成することができる。記録媒体１に記録されたコンピュータプログラムを記録媒体読取部５２９で読み取ってＲＡＭ５２８に格納することができる。ＲＡＭ５２８に格納されたコンピュータプログラムをＣＰＵ５２６で実行させることにより、第１表示処理部５２１、第２表示処理部５２２、識別子表示処理部５２３で行う処理を実行することができる。なお、ＣＰＵ５２６は、プロセッサ、プロセッサデバイス、プロセッシングユニットなどの総称とし、１又は複数で構成することができる。また、コンピュータプログラムは、記録媒体読取部５２９で読み取る構成に代えて、インターネットなどのネットワークを介してダウンロードすることもできる。
【０１１３】
次に、本実施の形態の表示装置５０の動作について説明する。
【０１１４】
図２３及び図２４は本実施の形態の表示装置５０による表示処理の一例を示すフローチャートである。以下では、便宜上処理の主体を表示処理部５２として説明する。表示処理部５２は、患者の特定情報を取得する（Ｓ１１）。特定情報の取得は、例えば、医療従事者が、操作入力部５３から患者の特定情報を入力、あるいは表示画面５１に表示された患者の一覧から所要の患者を選択することにより行うことができる。
【０１１５】
表示処理部５２は、特定された患者の医療情報をサーバ２０から取得する（Ｓ１２）。取得した医療情報は記憶部５５に記憶することができる。表示処理部５２は、期間を複数の区画で区分した各区画を周期的に繰り返し配置して当該期間を第１表示領域６１に表示する（Ｓ１３）。表示処理部５２は、特定された患者の医療情報に基づいて、各区画内の（各区画に記録された）医療情報の種別及び医療情報の情報量を識別する識別子（種別識別子及び情報量識別子）を各区画内に表示する（Ｓ１４）。なお、ステップＳ１３、Ｓ１４の処理は同時に行うことができる。
【０１１６】
表示処理部５２は、第２表示領域６２に表示する区画の範囲を選択する操作があったか否かを判定し（Ｓ１５）、選択する操作があった場合（Ｓ１５でＹＥＳ）、選択操作に応じた範囲の区画を第２表示領域６２に表示する（Ｓ１６）。表示処理部５２は、第２表示領域６２の各区画内に識別子で識別される全ての種別又は一部の種別の医療情報の内容を示す医療データを表示し（Ｓ１７）、後述のステップＳ２２の処理を行う。なお、ステップＳ１６、Ｓ１７の処理は同時に行うことができる。
【０１１７】
区画の範囲を選択する操作がなかった場合（Ｓ１５でＮＯ）、表示処理部５２は、区画内の識別子を選択する操作があったか否かを判定し（Ｓ１８）、選択する操作があった場合（Ｓ１８でＹＥＳ）、選択された識別子で識別される種別に階層構造の医療データがあるか否かを判定する（Ｓ１９）。
【０１１８】
階層構造の医療データがある場合（Ｓ１９でＹＥＳ）、表示処理部５２は、当該種別の階層情報を第１表示領域６１に表示し（Ｓ２０）、後述のステップＳ２２の処理を行う。階層構造の医療データがない場合（Ｓ１９でＮＯ）、表示処理部５２は、選択された識別子で識別される種別の医療データを第１表示領域６１に表示し（Ｓ２１）、後述のステップＳ２２の処理を行う。識別子を選択する操作がなかった場合（Ｓ１８でＮＯ）、表示処理部５２は、後述のステップＳ２２の処理を行う。
【０１１９】
表示処理部５２は、処理を終了するか否かを判定し（Ｓ２２）、処理を終了しない場合（Ｓ２２でＮＯ）、ステップＳ１５以降の処理を続け、処理を終了する場合（Ｓ２２でＹＥＳ）、処理を終了する。
【０１２０】
本実施の形態によれば、例えば、区画をカレンダーのように配置し、区画内に患者の医療情報を示す識別子（シンボル）を表示するので、患者の医療情報の時間的な経過を感覚的に、かつ容易に把握することができる。また、シンボルが、患者の医療情報を示すので、患者の医療処置等を時間経過とともに処置などの変化状況も一瞥で把握することができる。また、シンボルが時間経過を示す一覧で表示されるので、次に必要な情報や項目（例えば、処置又は治療、あるいは診断など）などへのアクセスが良くなり、医療の現場での労力の低減、医療過誤の防止効果などが期待できる。
【０１２１】
上述の実施の形態では、表示装置５０が表示処理部５２を備える構成であったが、これに限定されるものではない。例えば、サーバ２０に、表示処理部５２と同様の構成を備えることができる。この場合、表示装置５０では、操作入力部５３で行われた操作をサーバ２０へ出力し、当該操作に応じてサーバ２０が所要の表示処理を行い、処理結果を当該表示装置５０へ送信するようにすればよい。
【０１２２】
本実施の形態に係る表示装置は、患者の医療情報を表示画面に表示する表示装置であって、期間を複数の区画で区分した各区画を周期的に繰り返し配置して前記表示画面の第１表示領域に表示する第１表示処理部と、前記区画内に医療情報の種別を識別する種別識別子を表示する識別子表示処理部とを備える。
【０１２３】
本実施の形態に係る表示装置は、患者の医療情報を表示画面に表示する表示装置であって、１又は複数のプロセッサと、前記プロセッサで実行されるコンピュータプログラムを記憶するメモリとを備え、前記プロセッサは、前記コンピュータプログラムを実行することにより、期間を複数の区画で区分した各区画を周期的に繰り返し配置して前記表示画面の第１表示領域に表示し、前記区画内に医療情報の種別を識別する種別識別子を表示する。
【０１２４】
本実施の形態に係るコンピュータプログラムは、コンピュータに、患者の医療情報を表示画面に表示させるためのコンピュータプログラムであって、コンピュータに、期間を複数の区画で区分した各区画を周期的に繰り返し配置して前記表示画面の第１表示領域に表示する処理と、前記区画内に医療情報の種別を識別する種別識別子を表示する処理とを実行させる。
【０１２５】
本実施の形態に係る記録媒体は、コンピュータに、患者の医療情報を表示画面に表示させるためのコンピュータプログラムを記録したコンピュータでの読み取りが可能な非一時的な記録媒体であって、前記コンピュータプログラムは、コンピュータに、期間を複数の区画で区分した各区画を周期的に繰り返し配置して前記表示画面の第１表示領域に表示する処理と、前記区画内に医療情報の種別を識別する種別識別子を表示する処理とを実行させる。
【０１２６】
本実施の形態に係る表示方法は、患者の医療情報を表示画面に表示する表示方法であって、期間を複数の区画で区分した各区画を周期的に繰り返し配置して前記表示画面の第１表示領域に表示し、前記区画内に医療情報の種別を識別する種別識別子を表示する。
【０１２７】
本実施の形態の表示装置、コンピュータプログラム、記録媒体及び表示方法は、期間を複数の区画で区分した各区画を周期的に繰り返し配置して表示画面の第１表示領域に表示する。区画は、１日、１か月を３つ（上旬、中旬及び下旬）に分けた旬、１年を４つに分けた四半期、１年を４つ（春、夏、秋、冬）で分けた春、夏、秋、冬の一つなどとすることができる。周期的に繰り返しとは、例えば、区画を１日とすると、日曜日から土曜日までの１週間とすることができ、区画を旬、四半期などとすると、１年とすることができる。第１表示領域は、表示画面に第１表示領域だけを表示する場合には、表示画面の全部の領域とすることができる。また、第１表示領域以外の他の表示領域を同時に表示画面に表示する場合には、第１表示領域は表示画面の一部の領域となる。
【０１２８】
本実施の形態の表示装置、コンピュータプログラム、記録媒体及び表示方法は、区画内に医療情報の種別を識別する種別識別子を表示する。医療情報の種別は、例えば、画像、検査、文書などを含む。また、種別は、上位概念から下位概念へと階層的に構成することができ、例えば、種別には、画像に含まれる各種検査装置によって得られた検査画像、検査に含まれる検体又は検査部位、あるいは文書に含まれる個々の書類などの下位の階層の情報を含めることができる。
【０１２９】
上述のように、区画を周期的に繰り返し配置して期間を表示画面に表示し、区画内に医療情報の種別を識別する種別識別子を表示するので、患者の医療情報の時間的な経過を感覚的に把握することができる。また、期間のうちのどの時点又は時期に医療情報があるのか否かが明瞭になり、医療情報の存在を感覚的に把握することができる。
【０１３０】
本実施の形態に係る表示装置において、前記識別子表示処理部は、前記区画内に医療情報の情報量を識別する情報量識別子を表示する。
【０１３１】
本実施の形態の表示装置は、区画内に医療情報の情報量を識別する情報量識別子を表示する。これにより、時間的な経過とともに、どれだけの医療情報が存在するかを感覚的に把握することができる。
【０１３２】
本実施の形態に係る表示装置において、前記種別識別子は、前記医療情報の情報量を識別する。
【０１３３】
例えば、種別識別子自体に、情報量を識別する態様を付加することができる。例えば、種別識別子の形態又は数によって、情報量の多少を表すことができる。これにより、種別識別子によって、情報量も識別することができる。
【０１３４】
本実施の形態に係る表示装置において、前記識別子表示処理部は、前記区画内に前記患者の状態を識別する患者状態識別子を表示する。
【０１３５】
患者状態識別子は、例えば、患者が入院しているか否か、手術が実施されたか否か、容態の重篤な急変の有無、患者の生活環境の変化の有無など、患者に関するイベントの有無を識別することができる。これにより、患者の状態の時間的な変化を感覚的に把握することができる。
【０１３６】
本実施の形態に係る表示装置は、前記複数の区画のうちの所要の区画の医療情報の内容を示す医療データを該所要の区画毎に前記表示画面の第２表示領域に表示する第２表示処理部を備える。
【０１３７】
本実施の形態の表示装置は、複数の区画のうちの所要の区画の医療情報の内容を示す医療データを当該所要の区画毎に表示画面の第２表示領域に表示する。これにより、医療情報が存在するか否かだけでなく、医療情報の内容も把握することができる。
【０１３８】
本実施の形態に係る表示装置において、前記第１表示処理部は、前記種別識別子又は患者状態識別子を選択する第１識別子選択操作を受け付けた場合、選択された識別子の医療情報の内容を示す医療データを前記第２表示領域又は前記識別子の近傍に表示する。
【０１３９】
本実施の形態の表示装置は、種別識別子又は患者状態識別子を選択する第１識別子選択操作を受け付けた場合、選択された識別子（種別識別子又は患者状態識別子）の医療情報の内容を示す医療データを第２表示領域又は識別子の近傍に表示する。例えば、医療従事者が、任意の区画内の種別識別子又は患者状態識別子を選択する第１識別子選択操作を行った場合、選択された識別子の医療データが表示されるので、所要の医療情報の内容を把握することができる。
【０１４０】
本実施の形態に係る表示装置において、前記第２表示処理部は、前記区画を選択する第１区画選択操作を受け付けた場合、選択された区画内の医療情報の内容を示す医療データを前記第２表示領域に表示する。
【０１４１】
本実施の形態の表示装置は、区画を選択する第１区画選択操作を受け付けた場合、選択された区画内の医療情報の内容を示す医療データを第２表示領域に表示する。区画の選択は、一つの区画でもよく、あるいは複数の区画でもよい。例えば、医療従事者が、任意の区画を選択する第１区画選択操作を行った場合、選択された区画内に複数の種別の医療情報が存在する場合、当該複数の種別それぞれの医療データが同時に表示されるので、区画毎の医療情報の内容を容易に把握することができる。
【０１４２】
本実施の形態に係る表示装置において、前記第２表示処理部は、予め定められた複数の異なる操作のうち一の操作を受け付けた場合、該一の操作に応じて範囲が異なる区画内の医療情報の内容を示す医療データを前記第２表示領域に表示する。
【０１４３】
本実施の形態の表示装置は、予め定められた複数の異なる操作のうち一の操作を受け付けた場合、当該一の操作に応じて範囲が異なる区画内の医療情報の内容を示す医療データを第２表示領域に表示する。これにより、所要の範囲に亘る区画の医療情報の内容を容易に把握することができる。
【０１４４】
本実施の形態に係る表示装置において、前記第２表示処理部は、前記区画を選択する第２区画選択操作、及び前記一の操作を受け付けた場合、前記区画を含む範囲が異なる区画内の医療情報の内容を示す医療データを前記第２表示領域に表示する。
【０１４５】
本実施の形態の表示装置は、区画を選択し、一の操作を受け付けた場合、当該区画を含む範囲が異なる区画内の医療情報の内容を示す医療データを第２表示領域に表示する。例えば、注目する区画を選択して、一の操作を行うことで、注目する区画を含み当該区画の前後の所要の範囲に亘る区画の医療情報の内容を容易に把握することができる。
【０１４６】
本実施の形態に係る表示装置において、前記第２表示処理部は、前記区画を選択する第３区画選択操作を受け付けた場合、前記第２表示領域に表示される区画の範囲を選択する選択画面を表示する。
【０１４７】
本実施の形態の表示装置は、区画を選択する第３区画選択操作を受け付けた場合、第２表示領域に表示される区画の範囲を選択する選択画面を表示する。選択画面が表示されるので、区画の範囲を容易に選択することができる。
【０１４８】
本実施の形態に係る表示装置において、前記第１表示処理部は、前記種別識別子又は前記患者状態識別子を選択する第２識別子選択操作を受け付けた場合、選択された識別子の医療情報の階層を示す階層情報を前記第１表示領域に表示する。
【０１４９】
本実施の形態の表示装置は、種別識別子又は患者状態識別子を選択する第２識別子選択操作を受け付けた場合、選択された種別識別子又は患者状態識別子の医療情報の階層を示す階層情報を第１表示領域に表示する。医療情報は、上位概念から下位概念へと階層的に構成することができる。例えば、上位の種別を画像とすると、画像には、ＣＴ画像、ＭＲ画像、ＣＲ画像、ＵＳ画像などが下位概念として含まれる。また、さらに、ＣＴ画像には、頭部、胸部、腹部などの如く部位別のデータが下位概念として含まれる。
【０１５０】
従って、例えば、種別識別子が画像である場合、種別識別子を選択する操作を行うことによって、画像に対する階層情報として、当該患者のＣＴ画像、ＭＲ画像、ＣＲ画像、ＵＳ画像などを表す識別子を表示させることができる。また、種別識別子がＣＴ画像である場合、種別識別子を選択する操作を行うことによって、ＣＴ画像に対する階層情報として、頭部、胸部、腹部など部位毎の医療データを表す識別子を表示させることができる。これにより、医療情報の階層構造を容易に把握することができる。
【０１５１】
本実施の形態に係る表示装置において、前記第１表示処理部は、前記区画を１週間又は１年の周期で繰り返し配置して前記表示画面の第１表示領域に表示する。
【０１５２】
本実施の形態の表示装置は、区画を１週間又は１年の周期で繰り返し配置して表示画面の第１表示領域に表示する。例えば、区画を曜日（１日）として、１週間の周期で繰り返して配置すると、日曜日から土曜日まで（又は月曜日から日曜日まで）の１週間が、カレンダーのように繰り返し配置されるので、カレンダーの曜日と種別識別子とが同時に表示されることになり、曜日と種別識別子とを同時に把握することができるので、時間的な経過を感覚的に把握することが容易になる。
【０１５３】
本実施の形態に係る表示システムは、本実施の形態に係る表示装置と、該表示装置に接続され、患者の医療情報を記憶する記憶部を有するサーバとを備える。
【０１５４】
本実施の形態に係る表示システムは、患者の医療情報を一元管理することができる。
【符号の説明】
【０１５５】
１０  情報処理装置
２０  サーバ
２１  制御部
２２  記憶部
２３  通信部
５０  表示装置
５１  表示画面
５２  表示処理部
５３  操作入力部
５４  通信部
５５  記憶部
５２１  第１表示処理部
５２２  第２表示処理部
５２３  識別子表示処理部
５２６  ＣＰＵ
５２７  ＲＯＭ
５２８  ＲＡＭ
５２９  記録媒体読取部
【図１】
2018181637.tif 000003
【図２】
2018181637.tif 000004
【図３】
2018181637.tif 000005
【図４】
2018181637.tif 000006
【図５】
2018181637.tif 000007
【図６】
2018181637.tif 000008
【図７】
2018181637.tif 000009
【図８】
2018181637.tif 000010
【図９】
2018181637.tif 000011
【図１０】
2018181637.tif 000012
【図１１】
2018181637.tif 000013
【図１２】
2018181637.tif 000014
【図１３】
2018181637.tif 000015
【図１４】
2018181637.tif 000016
【図１５】
2018181637.tif 000017
【図１６】
2018181637.tif 000018
【図１７】
2018181637.tif 000019
【図１８】
2018181637.tif 000020
【図１９】
2018181637.tif 000021
【図２０】
2018181637.tif 000022
【図２１】
2018181637.tif 000023
【図２２】
2018181637.tif 000024
【図２３】
2018181637.tif 000025
【図２４】
2018181637.tif 000026
【国際調査報告】
2018181637.tif 000027
2018181637.tif 000028
2018181637.tif 000029
2018181637.tif 000030
2018181637.tif 000031